(57)【要約】【課題】縦方向へ回動させることにより物置棚として利用できるキャビネットの扉を提供する。【解決手段】キャビネット１の本体２に扉１０を取り付けるブラケット２０は、垂直方向の軸心を有する揺動軸２１と、この揺動軸２１に設けられた水平方向の軸心を持つ回動軸２２とから構成される。揺動軸２１はキャビネット本体２の内側面に取り付けられ、回動軸２２は扉１０の裏面側に取着される。扉１０は、ブラケット２０の揺動軸２１を中心にして横方向へ揺動可能であると同時に、回動軸２２を中心にして縦方向に回動可能である。従って、収納部３を開閉する際には扉１０を横方向に揺動させ、必要時には扉１０を縦方向へ水平姿勢位置まで回動させて物置棚を形成することができる。【選択図】  図３
2005299269.tif 000002
【特許請求の範囲】
【請求項１】
キャビネット本体に取り付けられて収納部を開閉する扉であって、当該扉における高さ方向の中間位置に、水平方向の軸心を持つ回動軸が設けられ、当該扉は前記回動軸を中心にして縦方向へ回動可能になされると共に、当該扉を実質的な水平姿勢位置に保持する手段が設けられていることを特徴とするキャビネットの扉。
【請求項２】
前記扉が上下に分割され、分割された扉の上半部及び下半部のいずれか一方又は両方が縦方向へ回動可能になされると共に、上記扉の上半部及び／又は下半部を実質的な水平姿勢位置に保持する手段が設けられている請求項１に記載のキャビネットの扉。
【請求項３】
キャビネット本体に取り付けられて収納部を開閉する扉であって、当該扉における高さ方向の中間位置に、垂直方向の軸心を持つ揺動軸と、当該揺動軸に設けられ水平方向の軸心を持つ回動軸とを有するブラケットが設けられ、前記扉は、前記ブラケットの揺動軸に一方の側縁部が支持されて横方向へ揺動可能になされると共に、前記回動軸に中間高さ位置が支持されて縦方向へ回動可能になされ、前記扉を水平姿勢位置に保持する手段が設けられていることを特徴とするキャビネットの扉。
【請求項４】
キャビネット本体に取り付けられて収納部を開閉する扉であって、当該扉は外枠部と内板部とに分割され、前記外枠部は、垂直方向の軸心を持つ揺動軸によって一方の側縁部がキャビネット本体部に支持されて横方向へ揺動可能になされ、前記内板部は水平方向の軸心を持つ回動軸によって前記外枠部に支持されて縦方向へ回動可能になされ、前記内板部を水平姿勢位置に保持する手段が設けられていることを特徴とするキャビネットの扉。
【発明の詳細な説明】
【技術分野】
【０００１】
本発明は、キャビネットの収納部を開閉する扉であって、水平方向の回動軸を中心として、縦方向への回動を可能としたものに関する。
【背景技術】
【０００２】
台所用のキッチンキャビネット、化粧室用の洗面キャビネット、居室や寝室用の収納キャビネットなど、各種キャビネットの収納部を開閉する扉は、一方の側縁部がキャビネット本体に蝶番で支持され、水平方向へ揺動可能になされているのが一般である。しかるに扉を水平な姿勢へ移動可能とし、この水平姿勢を保持して物置用の棚として利用できるようにすることが、例えば特許文献１に記載されている。すなわち同特許文献１では、扉の下端縁部を枢支体で回動自在に支持すると共に、この枢支体をキャビネット本体の底板の下面に設けたレールに結合して前後方向へスライド自在とし、前記枢支体を中心にして回動させ水平状態にした扉を、キャビネット本体の底板下方に形成した間隙スペースへ、前後方向へ出し入れ自在に収納保持せしめることにより、キャビネット本体の底部付近に前方へ突出する仮置き場を設けることが可能になされている。
【特許文献１】特開２００４−６８３２６公報
【発明の開示】
【発明が解決しようとする課題】
【０００３】
特許文献１に記載される技術は、扉を水平な姿勢の物置用棚とするのに、キャビネット本体の底板下方に形成した間隙スペースへ、扉の下側部分を収納させる構成を採用している。このため、扉におけるキャビネット本体の前面から突出した部分だけしか物置棚に利用できないから、物品載置用面積が狭くならざるを得ず、使い勝手が悪い。
【課題を解決するための手段】
【０００４】
前記従来の問題点に鑑みて採用した請求項１に係るキャビネットの扉の特徴とするところは、キャビネット本体に取り付けられて収納部を開閉する扉であって、当該扉における高さ方向の中間位置に、水平方向の軸心を持つ回動軸が設けられ、当該扉は前記回動軸を中心にして縦方向へ回動可能になされると共に、当該扉を実質的な水平姿勢位置に保持する手段が設けられていることである。
【０００５】
また請求項２に係るキャビネットの扉の特徴は、上下に分割した扉の上半部及び下半部のいずれか一方又は両方を縦方向へ回動可能とすると共に、上記扉の上半部及び／又は下半部を実質的な水平姿勢位置に保持する手段を設けたことである。
【０００６】
請求項３に係るキャビネットの扉の特徴は、扉における高さ方向の中間位置に、垂直方向の軸心を持つ揺動軸と、当該揺動軸に設けられ水平方向の軸心を持つ回動軸とを有するブラケットを設け、前記扉を、前記ブラケットの揺動軸に一方の側縁部を支持させて横方向へ揺動可能になすと共に、前記回動軸に中間高さ位置を支持させて縦方向へ回動可能になし、前記扉を水平姿勢位置に保持する手段を設けたことである。
【０００７】
さらに請求項４に係るキャビネットの扉の特徴は、扉を外枠部と内板部とに分割し、前記外枠部を、垂直方向の軸心を持つ揺動軸によって一方の側縁部をキャビネット本体部に支持させて横方向へ揺動可能になし、前記内板部を水平方向の軸心を持つ回動軸によって前記外枠部に支持させて縦方向へ回動可能になし、前記内板部を水平姿勢位置に保持する手段を設けたことである。
【発明の効果】
【０００８】
請求項１に記載した本発明によれば、キャビネット本体に取り付けられる扉を、高さ方向の中間位置に設けた回動軸によって縦方向へ回動可能させ、実質的な水平姿勢位置に保持する構成であるから、扉のほぼ全面を物置棚として利用できる。よって、物品載置面積の広い棚が得られるので、使い勝手が非常に良い。また、棚として利用する際の扉の突出寸法を、高さ寸法の半分程度に抑えられるから、キャビネットにおける作業性・意匠性をあまり損なわない。
【０００９】
請求項２に記載の本発明に基づき、上下に分割したキャビネットの扉の上半部及び下半部のいずれか一方を縦方向へ回動可能とした場合は、小型の棚を提供することができ、上半部及び下半部の両方を縦方向へ回動可能とした場合は、棚の数を増やすことが出来るという利点が得られる。
【００１０】
請求項３に記載の本発明によれば、垂直方向の軸心を持つ揺動軸と水平方向の軸心を持つ回動軸とを有するブラケットで扉を支持する構成としたから、所望に応じてこの扉を、通常の横方向へ揺動させることも、縦方向へ回動させることも可能である。従って、キャビネットの用途や作業環境等に応じ、キャビネットの使用態様を選択することが可能である。また、通常時はキャビネットの扉として機能させ、必要時だけ棚として利用すればよいから、キャビネットの収納内容を常時露出させることがなく、美観性に優れる。
【００１１】
請求項４に記載の本発明によれば、扉を横方向へ揺動可能な外枠部と、縦方向に回動可能な内板部とに分割したので、通常時は外枠部を横方向に揺動させて扉として使用することができ、必要時には内板部を縦方向へ回動させ水平姿勢位置に保持することにより、物置棚としてを機能させることが可能である。
【発明を実施するための最良の形態】
【００１２】
（第１の実施形態）
図１に、本発明の一実施形態を示す。同図に示す如く、本例は、キャビネット１の収納部３を覆う扉１０における高さ方向の中間位置を、キャビネット本体１に設けた軸心が水平方向である回動軸１１によって支持することにより、当該扉１０を回動軸１１を中心として縦方向へ回動可能としたものである。この場合、回動軸１１は、扉１の左右両側縁部を支持する構造とするほか、扉１の中間高さ位置における幅方向全体を支持する構造が考えられる。また、キャビネット本体２の収納部３における内側面にストッパ１２を設け、扉１０を水平姿勢位置まで回動させたときに、この水平姿勢が保持されるようにする。
【００１３】
かかる構成の扉３は、上部をキャビネット本体２から引き出すか又は下部を収納部３内へ押し込むことにより、回動軸１１を中心として縦方向に回動させることができる。そして図示の如く、扉１０をストッパ１２に当接させ、実質的な水平姿勢位置に保持せしめれば、物置用の棚が形成される。こうして形成された棚は、扉１０のほぼ片面全体を物品の載置面として利用可能であるから、非常に使い勝手がよい。また、扉１０を回動させて棚を形成したときに、扉１０の下半部が収納部３内へ収納されるから、突出長さを抑えることができ、キャビネット１廻りでの作業に支障を与えることが少なくなる。
【００１４】
（第２の実施形態）
図２に示すように、キャビネット１の本体２に取り付けられる扉を上下に分割し、各分割部分１３，１３の中間高さ位置を、回動軸１１，１１で縦方向へ回動可能に支持する構成とすることも考えられる。本例によれば、寸法の小さい棚を複数個設けることが可能である。なお上下に分割した扉１３，１３のうち、いずれか一方だけを縦方向へ回動可能とすることも妨げない。
【００１５】
（第３の実施形態）
図３は、キャビネット１の本体２に取り付けたブラケット２０によって、扉１０を横方向に揺動させることも、縦方向へ回動させることも可能に構成した例を示すものである。本実施形態で使用するブラケット２０は、図４及び図５に示す如く、垂直方向の軸心を有する揺動軸２１と、この揺動軸２１に設けられた水平方向の軸心を持つ回動軸２２とから構成される。そして揺動軸２１は、上下に配した固定部２３，２３によってキャビネット本体２の内側面における中間高さ位置に取り付けられ、回動軸２２は、接合部２４によって、扉１０の裏面側における側縁部近くに形成した凹部１０ａに取着されている。
【００１６】
かかる構成のブラケット２０により支持される本例の扉１０は、上記揺動軸２１を中心にして横方向へ揺動可能であると同時に、回動軸２２を中心にして縦方向に回動可能である。従って、通常、収納部３を開閉する際には、扉１０を横方向に揺動させ、必要時には扉１０を縦方向へ水平姿勢位置まで回動させて、物置棚を形成することができる。
【００１７】
なお、扉１０を水平姿勢位置に保持する手段は、キャビネット本体２に取り付けるストッパ１２のほか、図示は省略するが、ブラケット２０における回動軸２２と接合部２４との間に、ピンやビスなどの回動規制部材を設けることも考えられる。
【００１８】
（第４の実施形態）
図６に示す実施形態は、扉１４を外枠部１５と内板部１６とに分割し、外枠部１５は一方の側縁部を蝶番３０等の揺動軸で横方向へ揺動可能に支持し、内板部１６は回動軸３１で外枠部１５に対し縦方向へ回動可能に構成したものである。かかる構成の扉１４は、キャビネット収納部３の通常の開閉については、外枠部１５を横方向へ揺動させることで行い、物置棚を必要とする時には、内板部１６を縦方向へ回動させて水平姿勢位置に保持せしめればよい。
【００１９】
なお、内板部１６の回動位置、すなわち回動軸３１の配設位置は状況に応じ変更可能であり、図７に示すように扉１４における下方領域とすることも、あるいは上方領域とすることも妨げない。
【００２０】
（第５の実施形態）
図８に示す如く、扉１４を外枠部１７と内板部１８とに分割するに際し、分割領域を制限し、扉１４の比較的狭い部分、例えば上半部又は下半部だけを内板部１６とすることも可能である。この場合、載置面積の小さい物置棚が得られる。なお本例にあっても、内板部１６の回動位置、すなわち回動軸３１の配設位置は状況に応じ変更可能であり、図９に示すように、内板部１８における下方領域とすることも妨げない。
【図面の簡単な説明】
【００２１】
【図１】本発明の第１の実施形態に係るキャビネットの扉を示す側面断面図である。
【図２】本発明の第２の実施形態に係るキャビネットの扉を示す側面断面図である。
【図３】本発明の第３の実施形態に係るものであって、キャビネット全体を示す斜視図である。
【図４】本発明の第３の実施形態に係るものであって、ブラケットを示す斜視図である。
【図５】本発明の第３の実施形態に係るものであって、図（Ａ）はキャビネットにおけるブラケット部分を示す平面断面図、図（Ｂ）は同ブラケット部分の側面図である。
【図６】本発明の第４の実施形態に係るキャビネットの扉を示す斜視図である。
【図７】本発明の第４の実施形態に係るキャビネットの扉の異なる態様を示す斜視図である。
【図８】本発明の第５の実施形態に係るキャビネットの扉を示す斜視図である。
【図９】本発明の第５の実施形態に係るキャビネットの扉の異なる態様を示す斜視図である。
【符号の説明】
【００２２】
１…キャビネット  ２…キャビネット本体  ３…収納部  １０…扉  １１…回動軸  １２…ストッパ  ２０…ブラケット  ２１…揺動軸  ２２…回動軸  
【図１】
2005299269.tif 000003
【図２】
2005299269.tif 000004
【図３】
2005299269.tif 000005
【図４】
2005299269.tif 000006
【図５】
2005299269.tif 000007
【図６】
2005299269.tif 000008
【図７】
2005299269.tif 000009
【図８】
2005299269.tif 000010
【図９】
2005299269.tif 000011